(57)【要約】【課題】両カバー分割体が不用意に外れるのを防ぐ。【解決手段】コネクタカバー１４は、ハウジング１２の後面側から引き出された電線Ｗを取り囲むコルゲートチューブ１５を保持するとともに、ハウジング１２の後面側に取り付けられる。コネクタカバー１４は、互いに組み付けられる一対のカバー分割体２９，３０から構成される。両カバー分割体２９，３０には、コルゲートチューブ１５の端部を挟み付けてこれを保持可能なチューブ保持部２８が設けられている。第１カバー分割体２９には、ロック部４９が設けられ、第２カバー分割体３０には、ロック部４９に係止するロック片５０が設けられている。第１カバー分割体２９には、チューブ保持部２８に対応したロック片５０の先端隅部５３に隣接して配されるとともに、ロック片５０よりもその厚み方向について外側へ突出するロック片保護部５４が設けられている。【選択図】図１５
2008282631.tif 000002
【特許請求の範囲】
【請求項１】
コネクタハウジングの後面側から引き出された電線を取り囲む電線保護筒体を保持するとともに、前記コネクタハウジングの後面側に取り付けられるコネクタカバーであって、
互いに組み付けられる一対のカバー分割体から構成されるとともに、両カバー分割体には、前記電線保護筒体の端部を挟み付けてこれを保持可能な筒体保持部が設けられ、前記両カバー分割体のうち一方のカバー分割体には、ロック部が設けられるのに対し、前記両カバー分割体のうち他方のカバー分割体には、前記ロック部に係止することで、前記両カバー分割体を組み付け状態に保持可能なロック片が設けられており、
前記一方のカバー分割体には、前記筒体保持部に対応した前記ロック片の先端隅部に隣接して配されるとともに、前記ロック片よりもその厚み方向について外側へ突出するロック片保護部が設けられていることを特徴とするコネクタカバー。
【請求項２】
前記ロック片保護部は、少なくとも前記ロック片の先端隅部に対して斜向かいの位置に存在していることを特徴とする請求項１記載のコネクタカバー。
【請求項３】
前記ロック片保護部は、前記ロック片の先端隅部を囲むＬ字型に形成されていることを特徴とする請求項２記載のコネクタカバー。
【請求項４】
前記ロック片保護部は、前記ロック片の両先端隅部に対応して一対、ロック片を解除操作するための解除用空間を空けて互いに離間した位置に配置されていることを特徴とする請求項１ないし請求項３のいずれか１項に記載のコネクタカバー。
【請求項５】
前記両カバー分割体の分割端部には、組み付け状態で内外に重ね合わせられる重なり壁がそれぞれ設けられ、前記他方のカバー分割体側の重なり壁が前記一方のカバー分割体側の重なり壁の外側に配されるようになっており、前記ロック片がこの重なり壁から組み付け方向に延出して形成されていることを特徴とする請求項１ないし請求項４のいずれか１項に記載のコネクタカバー。
【請求項６】
前記一方のカバー分割体には、前記他方のカバー分割体側の前記重なり壁の先端部に隣接した位置で対向する重なり壁保護部が設けられていることを特徴とする請求項５記載のコネクタカバー。
【請求項７】
前記重なり壁保護部は、前記他方のカバー分割体側の前記重なり壁よりもその厚み方向について外側に突出して形成されていることを特徴とする請求項６記載のコネクタカバー。
【請求項８】
前記重なり壁保護部には、前記ロック片保護部が連結されていることを特徴とする請求項６または請求項７記載のコネクタカバー。
【請求項９】
前記重なり壁保護部及び前記ロック片保護部が同じ突出高さとされていることを特徴とする請求項６ないし請求項８のいずれか１項に記載のコネクタカバー。
【請求項１０】
前記重なり壁保護部には、前記他方のカバー分割体側の前記重なり壁の先端部を外側から覆う逆テーパ面が形成されていることを特徴とする請求項６ないし請求項９のいずれか１項に記載のコネクタカバー。
【請求項１１】
前記逆テーパ面は、前記重なり壁保護部のうち、前記ロック片の両側位置に一対形成されていることを特徴とする請求項１０記載のコネクタカバー。
【請求項１２】
前記ロック部は、互いに離間した位置に複数設けられるとともに、対応する前記ロック片に一括して係止されるようになっていることを特徴とする請求項１ないし請求項１１のいずれか１項に記載のコネクタカバー。
【請求項１３】
前記ロック片には、隣接する前記ロック部間に進入可能な補強部が設けられていることを特徴とする請求項１２記載のコネクタカバー。
【請求項１４】
前記ロック片及び前記ロック部は、前記両カバー分割体の分割端部において複数箇所に分散して設置されるとともに、各ロック片に対応して前記ロック片保護部が設けられていることを特徴とする請求項１ないし請求項１３のいずれか１項に記載のコネクタカバー。
【請求項１５】
前記ロック片保護部と前記ロック片との間の隙間は、前記電線の外径寸法以下の大きさに設定されていることを特徴とする請求項１ないし請求項１４のいずれか１項に記載のコネクタカバー。
【発明の詳細な説明】
【技術分野】
【０００１】
本発明は、コネクタカバーに関する。
【背景技術】
【０００２】
自動車のワイヤハーネスの端末には、多数のコネクタが設けられているが、そのコネクタには、電線を保護するためのコルゲートチューブを保持するコネクタカバーを備えたものがあり、その一例が下記特許文献１に記載されている。このコネクタは、電線の端末に接続された端子金具が収容されるハウジングと、ハウジングの後面側から引き出された電線を取り囲んで保護するコルゲートチューブと、コルゲートチューブの端部を保持するとともに、ハウジングの後面側に取り付けられるコネクタカバーとから構成される。コネクタカバーは、互いに組み付けられる一対のカバー分割体により構成され、両カバー分割体には、コルゲートチューブを保持するチューブ保持部と、ハウジングに取り付けられるハウジング取付部とが設けられている。両カバー分割体には、それぞれロック片とロック部とが設けられ、これらを係止させることで、両カバー分割体を組み付け状態に保持できるようになっている。
【特許文献１】特開２００５−１９０６９公報
【発明の開示】
【発明が解決しようとする課題】
【０００３】
上記した構成のコネクタは、ワイヤハーネスの端末に配されているため、自動車の組立ラインへの搬送時や自動車への組み付け時に乱雑に扱われることが多く、そのときにコネクタに対して電線などの部材や異物が干渉する場合がある。そして、電線などがコネクタカバーのロック片に引っ掛かると、誤ってロック片がロック解除方向に変形され、両カバー分割体が外れる可能性があった。
【０００４】
特に、コルゲートチューブを保持するチューブ保持部付近に配置されたロック片に対して電線などが引っ掛かった場合には、コルゲートチューブに頻繁に外力が作用することも手伝って両カバー分割体が外れ易いという問題があった。
【０００５】
本発明は上記のような事情に基づいて完成されたものであって、両カバー分割体が不用意に外れるのを防ぐことを目的とする。
【課題を解決するための手段】
【０００６】
本発明は、コネクタハウジングの後面側から引き出された電線を取り囲む電線保護筒体を保持するとともに、前記コネクタハウジングの後面側に取り付けられるコネクタカバーであって、互いに組み付けられる一対のカバー分割体から構成されるとともに、両カバー分割体には、前記電線保護筒体の端部を挟み付けてこれを保持可能な筒体保持部が設けられ、前記両カバー分割体のうち一方のカバー分割体には、ロック部が設けられるのに対し、前記両カバー分割体のうち他方のカバー分割体には、前記ロック部に係止することで、前記両カバー分割体を組み付け状態に保持可能なロック片が設けられており、前記一方のカバー分割体には、前記筒体保持部に対応した前記ロック片の先端隅部に隣接して配されるとともに、前記ロック片よりもその厚み方向について外側へ突出するロック片保護部が設けられている。
【０００７】
両カバー分割体を組み付けると、ロック片がロック部に係止することで、両カバー分割体が組み付け状態に保持される。このとき、コネクタハウジングの後面から引き出された電線を取り囲む電線保護筒体は、筒体保持部によって保持される。この組み付け状態では、筒体保持部に対応したロック片の先端隅部に隣接してロック片よりもその厚み方向について外側へ突出するロック片保護部が設けられているから、電線などの部材や異物がロック片に対して干渉するのを防止することができる。これにより、電線保護筒体に外力が作用したときでも、ロック状態が誤解除され難くなる。
【０００８】
本発明の実施態様として、次の構成が好ましい。
（１）前記ロック片保護部は、少なくとも前記ロック片の先端隅部に対して斜向かいの位置に存在している構成とする。このようにすれば、ロック片の先端隅部への電線などの干渉を効果的に防ぐことができる。
【０００９】
（２）前記ロック片保護部は、前記ロック片の先端隅部を囲むＬ字型に形成される構成とする。このようにすれば、ロック片の先端隅部に対する電線などの干渉を確実に防ぐことができ、極めて高い外れ防止効果を得ることができる。
【００１０】
（３）前記ロック片保護部は、前記ロック片の両先端隅部に対応して一対、ロック片を解除操作するための解除用空間を空けて互いに離間した位置に配置される構成とする。このようにすれば、ロック片の両先端隅部への電線などの干渉を防ぐとともに、ロック片を解除操作する作業をし易くすることができる。
【００１１】
（４）前記両カバー分割体の分割端部には、組み付け状態で内外に重ね合わせられる重なり壁がそれぞれ設けられ、前記他方のカバー分割体側の重なり壁が前記一方のカバー分割体側の重なり壁の外側に配されるようになっており、前記ロック片がこの重なり壁から組み付け方向に延出して形成される構成とする。このようにすれば、両カバー分割体を組み付ける際に両重なり壁が内外に重ね合わせられて位置合わせがなされるので、組み付け作業が行い易くなる。また、ロック片が重なり壁から組み付け方向に延出しているので、ロック片のばね性を確保することができる。
【００１２】
（５）前記一方のカバー分割体には、前記他方のカバー分割体側の前記重なり壁の先端部に隣接した位置で対向する重なり壁保護部が設けられる構成とする。このようにすれば、重なり壁保護部によって外側に配される重なり壁に対して電線などが干渉するのを防ぐことができ、両カバー分割体の外れを防ぐことができる。また、重なり壁保護部によって両重なり壁の合わせ目に外部の異物が侵入し難くすることができる。
（６）前記重なり壁保護部は、前記他方のカバー分割体側の前記重なり壁よりもその厚み方向について外側に突出して形成される構成とする。このようにすれば、外側に配される重なり壁に対して電線などが一層引っ掛かり難くなる。
【００１３】
（７）前記重なり壁保護部には、前記ロック片保護部が連結される構成とする。このようにすれば、重なり壁保護部及びロック片保護部が連続した壁となり、ロック片及び外側に配される重なり壁を一括して保護することができるから、これらへの電線などの引っ掛かりを確実に防ぐことができる。
【００１４】
（８）前記重なり壁保護部及び前記ロック片保護部が同じ突出高さとされる構成とする。このようにすれば、外観に優れるとともに小型化に寄与することができる。
【００１５】
（９）前記重なり壁保護部には、前記他方のカバー分割体側の前記重なり壁の先端部を外側から覆う逆テーパ面が形成される構成とする。このようにすれば、逆テーパ面によりロック片と連結された重なり壁が外側へ開き変形するのが規制されるから、ロック片の誤解除をより確実に防止することができる。
【００１６】
（１０）前記逆テーパ面は、前記重なり壁保護部のうち、前記ロック片の両側位置に一対形成される構成とする。このようにすれば、ロック片の誤解除をさらに確実に防止することができる。
【００１７】
（１１）前記ロック部は、互いに離間した位置に複数設けられるとともに、対応する前記ロック片に一括して係止される構成とする。このようにすれば、ロック片及び各ロック部が係止した状態において、万が一に誤ってロック片におけるいずれか一方の先端隅部に係止解除方向への外力が作用した場合でも、互いに離間した位置に配された複数のロック部のいずれかの係止状態が維持される可能性が高く、不用意なロック解除の防止に有効となる。
【００１８】
（１２）前記ロック片には、隣接する前記ロック部間に進入可能な補強部が設けられる構成とする。このようにすれば、ロック片の強度を高めることができるので、ロック片のばね性が高められるとともに破損防止を図ることができる。
【００１９】
（１３）前記ロック片及び前記ロック部は、前記両カバー分割体の分割端部において複数箇所に分散して設置されるとともに、各ロック片に対応して前記ロック片保護部が設けられる構成とする。このようにすれば、両カバー分割体を一層外れ難くすることができる。
【００２０】
（１４）前記ロック片保護部と前記ロック片との間の隙間は、前記電線の外径寸法以下の大きさに設定されている。このようにすれば、ロック片保護部とロック片との間の隙間に電線が入り込むのを確実に防ぐことができる。
【発明の効果】
【００２１】
本発明によれば、両カバー分割体が不用意に外れるのを防止することができる。
【発明を実施するための最良の形態】
【００２２】
＜実施形態１＞
本発明の実施形態１を図１ないし図２３によって説明する。この実施形態１では、レバーを備える防水タイプのコネクタ１０について例示する。なお、以下では、上下方向（縦方向）については図２や図５を、左右の記載については、図１や図６や図８をそれぞれ基準とし、また前後方向については相手コネクタとの嵌合面側（図１の下側）を前側、その反対側（図１の上側）を後側として説明する。
【００２３】
コネクタ１０は、図１に示すように、電線Ｗの端末に接続された複数本の端子金具１１と、端子金具１１が収容されるコネクタハウジング１２（以下、単にハウジング１２という）と、ハウジング１２に対して側方から取り付けられるスライドレバー１３と、ハウジング１２の後面側に後方から取り付けられるとともにコルゲートチューブ１５（本発明の「電線保護筒体」に相当）を保持するコネクタカバー１４とから構成される。
【００２４】
先にコネクタ１０に接続されるコルゲートチューブ１５について簡単に説明する。コルゲートチューブ１５は、合成樹脂製で可撓性を有する蛇腹状に形成され、ハウジング１２の後面側から引き出された電線Ｗを取り囲んで（覆って）保護できるようになっている。コルゲートチューブ１５は、可撓性を有しているので、引き出した電線Ｗの配索経路に合わせて容易に変形させることが可能とされる。このコルゲートチューブ１５は、円筒体の内周面及び外周面に、凹部と凸部とを交互に連続して形成した形状となっている。
【００２５】
端子金具１１は、金属板をプレス成形することで所定形状に形成されており、図２に示すように、相手端子（図示せず）に接続可能な端子接続部１１ａと、電線Ｗに接続された電線接続部１１ｂとを前後に繋いだ構成とされる。このうち電線接続部の後部により、電線Ｗの端部に嵌着された防水ゴム栓１６がかしめ付けられて保持される。端子金具１１は、大小２種類が用意されている。
【００２６】
ハウジング１２は、合成樹脂製とされ、図１ないし図４に示すように、全体として横長な直方体状をなしている。ハウジング１２は、各端子金具１１を収容可能な端子収容部１７と、端子収容部１７を取り囲む外壁１８とを備える。これら端子収容部１７と外壁１８との間の空間は、前方へ開口するとともに、ここに図示しない相手コネクタを構成する相手ハウジングが前方から嵌合可能とされる。端子収容部１７における外壁１８との対向面（嵌合される相手ハウジングとの対向面）における後端位置には、嵌合時に相手ハウジングとの間をシールするためのシールリング１９が嵌着されている。
【００２７】
端子収容部１７は、略ブロック状をなすとともに、端子金具１１を収容可能なキャビティ２０を備える。キャビティ２０は、収容する端子金具１１に合わせて大小２種類のものが複数室ずつ用意されており、端子収容部１７における両端位置に大型のものが配されるとともに、その間に挟まれたものが小型とされている。各キャビティ２０の内周面の後端側には、防水ゴム栓１６が密着することで、キャビティ２０内のシールが図られるようになっている。また、キャビティ２０内には、挿入された端子金具１１を抜け止め状態に保持可能な片持ち状のランス２１が撓み変形可能に形成されている。また、端子収容部１７には、端子金具１１におけるランス２１の係止部位とは異なる部位に係止することで、端子金具１１を二重に抜け止め保持可能なリテーナ２２が取り付けられている。
【００２８】
外壁１８のうち、図２に示す上部及び下部は、側方へ開口する袋状（中空状）をなしており、その内部空間がスライドレバー１３用のレバー収容空間２３となっている。レバー収容空間２３は、図１に示す左右いずれの方向にも開口することで、どちらの向きからもスライドレバー１３の取り付けが可能となっている。スライドレバー１３は、前方または後方から見て門型をなすとともに、その上部及び下部には、相手ハウジングに設けられたカムピン（図示せず）に係合可能なカム溝が形成されている。詳細について図示は省略するが、カムピンをカム溝に係合させつつスライドレバー１３をスライド操作することで、ハウジング１２と相手ハウジングとの嵌合・離脱動作を助勢できるようになっている。
【００２９】
ハウジング１２の後面における横方向（図４の左右方向）の両端位置付近には、図３及び図４に示すように、横方向に沿った板状をなす突片２４が後方へ突出して設けられている。突片２４は、左右に分けて配された大型用のキャビティ２０の上下位置（ハウジング１２の後面における隅部付近）に一対ずつ、計４本設置されている。各突片２４における外面（キャビティ２０側とは反対側の面）には、コネクタカバー１４を取付状態に保持するためのカバー用ロック部２５がそれぞれ外側へ突出して設けられている。また、ハウジング１２の後面における小型用のキャビティ２０群の上下位置には、肉抜き孔２６が形成されている。肉抜き孔２６は、横方向に並んで３つずつ、計６つ設置されている。
【００３０】
続いて、コネクタカバー１４について詳しく説明する。コネクタカバー１４は、合成樹脂製とされ、図１に示すように、電線Ｗのうちハウジング１２とコルゲートチューブ１５との間に配される部分を取り囲んで保護するカバー本体２７と、コルゲートチューブ１５を保持するチューブ保持部２８とを前後（左右）に繋いだ構成とされる。
【００３１】
そして、このコネクタカバー１４は、図５に示すように、上下方向についてほぼ半割となる位置で水平方向に沿って分割された一対のカバー分割体２９，３０を互いに組み付けてなる。図５に示す上側のものを第１カバー分割体２９とし、同図下側のものを第２カバー分割体３０とする。両カバー分割体２９，３０の組付方向は、上下方向（縦方向）と一致している。続いては、先に両カバー分割体２９，３０の共通構造について説明し、その後、各カバー分割体２９，３０の個別構造について説明する。
【００３２】
カバー本体２７は、全体として大まかには前面側が開口した略箱型をなしている。カバー本体２７は、図６ないし図１０に示すように、水平方向に沿った上下一対の主板部３１と、両主板部３１の側端に連結される縦方向に沿った左右一対の側板部３２，３３と、両主板部３１の後端と図６及び図８に示す左側（チューブ保持部２８側とは反対側）の側板部３２の後端とに連結され、且つ縦方向に沿った後板部３４とから構成される。このうち、後板部３４における側板部３２と連結された前側部分と、チューブ保持部２８と連結される後側部分とが、平面に見て横方向に対して斜めを向いており、これらの中間部分が横方向に沿って真っ直ぐに形成されている。そして、図６及び図８に示す右側（チューブ保持部２８側）の側板部３３の後端と、後板部３４の同図右側の側端と、両主板部３１の同図右側の側端のうち側板部３３よりも後側部分とには、チューブ保持部２８が連結されている。なお、カバー本体２７では、組付方向である上下方向に沿った両側板部３２，３３及び後板部３４が上下に分割されている。
【００３３】
チューブ保持部２８は、全体としてコルゲートチューブ１５の形状に合わせて略円筒状をなすとともに、その前端部がカバー本体２７の後端側部に連結されている。このチューブ保持部２８は、平面に見てカバー本体２７から図６及び図８に示す右斜め後方へ延出しており、その横方向（図６及び図８の左右方向）に対する傾斜角度は、上記した後板部３４における傾斜部分のものとほぼ一致している。チューブ保持部２８の内周面には、内方へ突出するとともに、コルゲートチューブ１５の外周面に形成された凹部に対して係止可能な係止リブ３５が周設されている。係止リブ３５は、チューブ保持部２８の延び方向について前後に離間した位置に計５つ並んで設置されている。なお、チューブ保持部２８では、上下方向に沿った両側部２８ａ，２８ｂが上下に分割されている。
【００３４】
カバー本体２７の両主板部３１における前端部には、ハウジング１２側のカバー用ロック部２５に対して係止することで、コネクタカバー１４をハウジング１２に対して取付状態に保持可能なハウジング用ロック片３６が設けられている。ハウジング用ロック片３６は、両主板部３１の前端部における横方向の両側端部を部分的に外側（上方または下方）へ張り出させた張出部分から構成され、隣接する側板部３２，３３との間に前方へ開口するスリット３７を入れることで、可撓性を持った片部として形成されている。ハウジング用ロック片３６は、コネクタカバー１４の前端部の角位置に計４つ設置されている。また、各スリット３７には、ハウジング１２側の各突片２４が差し込み可能とされる。ハウジング用ロック片３６の中央位置には、横長なロック孔３８がその厚み方向に貫通して形成されており、このロック孔３８内にカバー用ロック部２５が嵌り込んで周面同士が係止するようになっている。
【００３５】
カバー本体２７の両主板部３１の前端部における中央部分（両ハウジング用ロック片３６間の部分）からは、遮水片３９が前方へ突出して設けられている。遮水片３９は、横長な突片状をなし、横方向に３つ並んで設置されている。遮水片３９は、ハウジング１２側の肉抜き孔２６内に差し込み可能とされている。これにより、コネクタカバー１４のハウジング１２への取り付け動作をガイドできるとともに、取付状態において外部から洗浄水などの液体が高圧噴射された場合でも、噴射された液体がハウジング１２の後端面とコネクタカバー１４の前端面との間を通って内部に浸入し難くなっている。両主板部３１の前端部の中央部分には、上下に遮水壁４０が立ち上げられ、これにより上記したような液体の浸入を確実に防ぐことができる。遮水壁４０の両端部は、それぞれハウジング用ロック片３６の端部に連結されている。また、遮水壁４０の両端部における後端側には、一対の補強リブ４１が連結されている。
【００３６】
なお、上記した両カバー分割体２９，３０の共通構造について、第１カバー分割体２９と第２カバー分割体３０とで区別する場合には、第１カバー分割体２９のものの符号に添え字Ａを、第２カバー分割体３０のものの符号に添え字Ｂを付し、区別せずに総称する場合には、符号に添え字を付さないものとする。
【００３７】
次に、各カバー分割体２９，３０の個別構造について詳しく説明する。第１カバー分割体２９及び第２カバー分割体３０の内周面のうち、チューブ保持部２８とカバー本体２７との境界位置には、コルゲートチューブ１５の前端部から露出した電線Ｗ束を保持可能な第１電線保持部４２及び第２電線保持部４３がそれぞれ設けられている。詳しくは、第１電線保持部４２及び第２電線保持部４３は、各カバー分割体２９，３０の内周面から径方向内向きに立ち上がって周方向に延びる壁状とされる。第１電線保持部４２は、図１４に示すように、正面から見て略Ｕ字型（略馬蹄型）をなすとともに、その両端部が第１カバー分割体２９における分割端面からさらに組付方向に沿って相手の第２カバー分割体３０側に突出している。一方、第２電線保持部４３は、第２カバー分割体３０の内周面のうち、第１電線保持部４２の両端部を逃がすための逃がし空間を空けた中央位置に設置されている。第２電線保持部４３の内縁（立ち上がり端縁）は、略円弧状に形成されている。
【００３８】
両カバー分割体２９，３０を組み付けた状態では、第１電線保持部４２及び第２電線保持部４３が電線Ｗ束を囲い込む略環状をなすとともに、その内側には電線Ｗ束の断面積よりもやや大きな空間が確保される（図１９）。第１電線保持部４２及び第２電線保持部４３の内縁は、コルゲートチューブ１５の前端部における内縁よりも径方向内側に張り出しており、これにより保持された電線Ｗがコルゲートチューブ１５の端部に干渉して損傷を受けるのが防止されるようになっている。また、これら第１電線保持部４２及び第２電線保持部４３にコルゲートチューブ１５の前端部が突き当たることで、コネクタカバー１４へのコルゲートチューブ１５の位置決めが可能となる。また、第１カバー分割体２９のチューブ保持部２８Ａのうち、最も前寄りの係止リブ３５Ａとその後ろの係止リブ３５Ａとの間には、図６及び図７に示すように、水抜き孔４４が貫通して形成されている。
【００３９】
第１カバー分割体２９及び第２カバー分割体３０における分割端部には、図５に示すように、組み付けに伴って内外に重ね合わせられる第１重なり壁４５及び第２重なり壁４６がそれぞれ設けられている。詳しくは、第１重なり壁４５及び第２重なり壁４６は、各カバー分割体２９，３０における組付方向に沿った壁部分、すなわち図６及び図８に示す左側の側板部３２から後板部３４を経てチューブ保持部２８の後側の側部２８ａまでの長辺側部分と、同図右側の側板部３３からチューブ保持部２８の前側の側部２８ｂまでの短辺側部分とにそれぞれ、全域にわたって形成されている。
【００４０】
このうち、第１重なり壁４５は、第１カバー分割体２９における組付方向に沿った壁部分をそのまま下向き（相手の第２カバー分割体３０側）に延出させてなる。これに対し、第２重なり壁４６は、第２カバー分割体３０における組付方向に沿った壁部分の先端部３０ａ（上端部）から、水平方向（組付方向と直交する方向）の外側に張り出すとともに組付方向に沿って上向き（相手の第１カバー分割体２９側）に突出する形態とされる。従って、組み付け時には、第２重なり壁４６が第１重なり壁４５の外側に重なるよう配されるとともに、第１重なり壁４５の先端部（下端部）が第２カバー分割体３０の上記壁部分の先端部３０ａに突き当てられるようになっている。
【００４１】
第１カバー分割体２９における第１重なり壁４５の内面からは、カバー本体２７内で屈曲される電線Ｗを受けるための電線受け片４７が設けられている。電線受け片４７は、第１重なり壁４５から、水平方向の内側に張り出すとともに組付方向に沿って下向きに突出する矩形の板状をなしている。電線受け片４７は、後板部３４Ａのうち、横方向に対して傾斜した前側部分と、横方向に沿って真っ直ぐな中間部分とにわたる範囲に形成され、後板部３４Ａ及び第１重なり壁４５に沿って途中で緩やかに屈曲されている。この電線受け片４７により、カバー本体２７内で屈曲された電線Ｗを水平方向について内側に押さえ込むことができるようになっている。
【００４２】
第２カバー分割体３０における後板部３４Ｂ及び図８に示す左側の側板部３２Ｂには、組み付け時に第１カバー分割体２９をガイド可能なガイド壁４８が設けられている。ガイド壁４８は、後板部３４Ｂ及び上記側板部３２Ｂの先端部から、水平方向の内側に張り出すとともに組付方向に沿って上向きに突出する形態とされる。つまり、ガイド壁４８は、外側に配される第２重なり壁４６と所定の空間（第１重なり壁４５の厚み寸法程度の空間）を空けて対向することになる。従って、組み付け時には、ガイド壁４８と第２重なり壁４６との間に第１カバー分割体２９側の第１重なり壁４５が挟まれることで、第１重なり壁４５の位置決めが図られるようになっている。このガイド壁４８は、第１カバー分割体２９側の電線受け片４７の両側に位置して一対設置されている。このうち、図８に示す左側のガイド壁４８は、後板部３４Ｂ及び同図左側の側板部３２Ｂにわたって形成されるとともに、その形状に沿って屈曲されている。また、同図右側のガイド壁４８は、後板部３４Ｂのうち横方向に沿って真っ直ぐな中間部分と、横方向に対して傾斜した後側部分とにわたる範囲に形成され、後板部３４Ｂに沿って途中で緩やかに屈曲されている。
【００４３】
続いて、両カバー分割体２９，３０のロック構造に関して詳しく説明する。第１カバー分割体２９には、図５に示すように、ロック部４９が設けられるのに対し、第２カバー分割体３０には、ロック部４９に対して係止することで、両カバー分割体２９，３０を組み付け状態に保持可能なロック片５０が設けられている。ロック部４９及び対応するロック片５０は、両カバー分割体２９，３０の分割端部において、周方向に互いに離間した複数箇所に設置されている。詳しくは、ロック部４９及び対応するロック片５０は、両カバー分割体２９，３０の分割端部のうち、チューブ保持部２８に対応して２組、カバー本体２７のうち後板部３４に対応して１組、図６及び図８に示す左側の側板部３２に対応して１組、それぞれ分散して配置されている。特に、チューブ保持部２８については、両分割端部にそれぞれロック部４９及び対応するロック片５０が１組ずつ設置されることで、ロック状態が強固なものとなっている。
【００４４】
ロック部４９は、第１カバー分割体２９のうち第１重なり壁４５の外面から、水平方向の外側に突出する形態とされている。ロック部４９は、略ブロック状に形成されるとともに、その下面（組付方向の前面）がロック片５０の乗り上げを案内すべくテーパ状に形成されるのに対し、ロック片５０との係止面となる上面（組付方向の後面）が水平方向に沿って真っ直ぐな端面として形成されている。ロック部４９は、第１重なり壁４５における先端位置（組付方向の前端位置）に設置されている。
【００４５】
ロック部４９は、第１重なり壁４５のうち、図６に示す左側の側板部３２Ａから突出する部分には１つだけ設置されているものの、それ以外の部分、つまり第１重なり壁４５のうちチューブ保持部２８Ａの両側部２８ａ，２８ｂから突出する部分と、後板部３４Ａから突出する部分とにはそれぞれ２つずつ設置されている。２つで１組をなすロック部４９は、互いの間に所定の間隔（後述する補強部５２の幅寸法分の間隔）を空けた位置に並んで設置されている。
【００４６】
ロック片５０は、第２重なり壁４６に一体化されるとともに、その第２重なり壁４６の先端部４６ａからさらに組付方向に沿って相手の第１カバー分割体２９側（上方、組付方向の前方）へ延出して形成されている。これにより、ロック片５０のばね性（可撓性）が確保されている。ロック片５０は、横方向（組付方向と交差する方向）に沿って開くようにして弾性変形可能とされている。
【００４７】
ロック片５０には、ロック部４９が進入可能なロック溝５１が形成されている。ロック溝５１は、ロック片５０の先端部（上端部）を残して下方へ開放する形態とされており、その溝縁上部（ロック片５０の先端部の下端面）に対してロック部４９が係止されるようになっている。また、ロック片５０の先端部の内面５０ａは、ロック部４９に対する乗り上げ動作を案内すべくテーパ状に形成されており、これによりロック片５０の先端部は先細り状に形成されている。
【００４８】
ロック片５０は、図８の左側の側板部３２Ｂに対応したものに比べ、それ以外のもの、つまりチューブ保持部２８Ｂの両側部２８ａ，２８ｂに対応したものや後板部３４Ｂに対応したものが幅広に形成されている。そして、これら３本の幅広のロック片５０には、ロック溝５１が一対ずつ形成されている。これにより、幅広のロック片５０に対しては、対応する２つのロック部４９が一括して係止されるようになっている。この幅広のロック片５０における両ロック溝５１間には、チューブ保持部２８Ｂや後板部３４Ｂの外面に連結された補強部５２が形成されている。これにより、ロック片５０の補強が図られている。第２カバー分割体３０において最も前寄りに配置される幅狭のロック片５０は、第２重なり壁４６の前端部を残して、前端位置よりも少し後側の位置に配されている。同様に第２カバー分割体３０において最も後寄りに配置される、チューブ保持部２８Ｂに対応した幅広な両ロック片５０は、第２重なり壁４６の後端部を残して、後端位置よりも少し前側の位置に配されている。
【００４９】
さて、両カバー分割体２９，３０のうちロック部４９が設けられた第１カバー分割体２９には、図５に示すように、組み付け状態において、ロック片５０の先端隅部５３（上端隅部、自由端隅部）を保護するためのロック片保護部５４が設けられている。ロック片保護部５４は、第１カバー分割体２９の外周面のうち、組み付け時に各ロック片５０の先端隅部５３に隣接する位置に形成されるとともに、各ロック片５０の先端隅部５３と対向するよう、第１カバー分割体２９の外周面から水平方向（ロック片５０の厚み方向）に沿って外側へ突出して設けられている（図１９参照）。このロック片保護部５４の突出高さは、組み付け状態において、水平方向ついて外側に達するような大きさに設定されている。
【００５０】
詳しくは、ロック片保護部５４は、第１カバー分割体２９のうち、チューブ保持部２８Ａの両側部２８ａ，２８ｂと、後板部３４Ａと、図６に示す左側の側板部３２Ａとにそれぞれ設置されている。ロック片保護部５４は、各ロック片５０の両先端隅部５３に対応した位置に、一対ずつ互いに離間して配置されている。対をなすロック片保護部５４間の空間によって、ロック片５０の先端面（上端面）が、組付方向に沿って外部（上方）に露出するようになっており、ここがロック片５０を解除操作するための解除用空間５５となっている。対をなすロック片保護部５４間の間隔は、対応するロック部４９の形成幅領域（ロック部４９が２つ並ぶ場合は間の空間も含む）と一致しており、ロック片５０の外幅寸法よりは小さくなっている。言い換えると、ロック片保護部５４は、ロック部４９とは組付方向について対向することがなく、水平方向（組付方向と直交する方向）について外れた位置関係となっている。
【００５１】
ロック片保護部５４は、上下方向に沿って延びる部分と、水平方向に沿って延びる部分とを繋いだ略Ｌ字型をなし、ロック片５０の先端隅部５３を囲むことができるようになっている。つまり、ロック片保護部５４は、少なくとも先端隅部５３と斜向かいの位置に存在していることになる。このロック片保護部５４により、ロック片５０の先端面及び側端面が一括して外側から覆われる。組み付け状態において、ロック片保護部５４とロック片５０との間に形成される隙間は、電線Ｗの外径寸法よりも小さく設定されている。
【００５２】
さらに、第１カバー分割体２９には、組み付け時に第１重なり壁４５の外側に配される第２重なり壁４６を保護するための重なり壁保護部５６が設けられている。重なり壁保護部５６は、第１カバー分割体２９の外周面のうち、組み付け時に第２重なり壁４６の先端部４６ａ（上端部）に隣接する位置に形成されるとともに、第２重なり壁４６と対向するよう、第１カバー分割体２９の外周面から水平方向（第２重なり壁４６の厚み方向）に沿って外側へ突出して設けられている。この重なり壁保護部５６の突出高さは、組み付け状態において、第２重なり壁４６よりも水平方向（第２重なり壁４６の厚み方向）について外側に達するような大きさに設定されている。
【００５３】
この重なり壁保護部５６は、第１カバー分割体２９の外周面において第２重なり壁４６の先端面に沿ってほぼ真っ直ぐに延びるリブ状に形成されている。重なり壁保護部５６は、水平方向について第２重なり壁４６におけるロック片５０が形成された領域を除いた全域に対応する範囲に形成されている。そして、この重なり壁保護部５６は、ロック片保護部５４の下端部に対して連結されている。これにより、重なり壁保護部５６とロック片保護部５４とが連続した壁を構成している。第１カバー分割体２９の外周面からの重なり壁保護部５６の突出高さと、ロック片保護部５４の同突出高さとはほぼ同じとされ、重なり壁保護部５６の外面とロック片保護部５４の外面とがほぼ面一状をなしている。また、ロック片保護部５４は、第２重なり壁４６の先端からロック片５０が突出した分だけ、重なり壁保護部５６よりも上側（組付方向の後側）にずれた位置に配置されていると言える。
【００５４】
本実施形態は以上のような構造であり、続いてその作用を説明する。コネクタ１０の組み付けにあたっては、まず各電線Ｗの端末に接続した端子金具１１をハウジング１２の各キャビティ２０内に挿入して抜け止め状態としておく。そして、図２０に示すように、ハウジング１２の後面から引き出された状態の電線Ｗ束の回りを取り囲むコルゲートチューブ１５を、ハウジング１２から後方に少し離れた所定位置に保ちつつ、コネクタカバー１４をハウジング１２及びコルゲートチューブ１５に対して取り付ける作業を行う。
【００５５】
コネクタカバー１４の取り付けにあたっては、図２１に示すように、両カバー分割体２９，３０の内周面同士を対向させるとともに、前端側と比べて後端側の間隔が大きくなるよう、つまり後端側が開くよう互いに傾けた姿勢とする。その状態から前端の各遮水片３９をハウジング１２の各肉抜き孔２６内に、各突片２４を各スリット３７内にそれぞれ差し込みつつ、両カバー分割体２９，３０を閉じる。この過程では、第２重なり壁４６とガイド壁４８との間に第１重なり壁４５が挟まれることで、両カバー分割体２９，３０が水平方向について位置決めされるとともに、各ロック片５０が対応する各ロック部４９に乗り上げて一旦外側に開くようにして弾性変形される。
【００５６】
そして、両カバー分割体２９，３０が正規の組み付け姿勢に至ると、コネクタカバー１４の前端側では、図２２に示すように、各カバー用ロック部２５に対して各ハウジング用ロック片３６が係止されるとともに、各ロック片５０が弾性復帰し各ロック溝５１内に各ロック部４９が進入して溝縁上部に係止される。これにより、両カバー分割体２９，３０が互いに正規の組付状態に保持されるとともに、ハウジング１２に対して正規の取付状態に保持される。一方、コネクタカバー１４の後端側では、図２３に示すように、チューブ保持部２８における各係止リブ３５がコルゲートチューブ１５の前端部における外周面の各凹部に対して嵌り込んで係止される。これにより、コネクタカバー１４によりコルゲートチューブ１５を取付状態に保持される。
【００５７】
以上をもって、ハウジング１２の後端部及びコルゲートチューブ１５の前端部にコネクタカバー１４が取り付けられるとともに、ハウジング１２の後面から引き出された電線Ｗがコネクタカバー１４及びコルゲートチューブ１５によって全域が覆われてその配索方向が定められる。
【００５８】
上記のようにして組み付けられたコネクタ１０は、ワイヤハーネスの端末部分を構成することになるが、その配置に起因して、自動車の組立ラインへの搬送時や組み付け時においては手荒に扱われることが多くなっている。このとき、コネクタ１０に対して他のワイヤハーネスの電線Ｗなどの部材や異物が干渉する可能性が高く、仮に電線Ｗなどがロック片５０に引っ掛かった場合には、誤ってロック片５０がロック解除方向に変形されてロック状態が誤解除され、両カバー分割体２９，３０が外れるといった事態が生じるおそれがある。
【００５９】
ところが、本実施形態では、図１５ないし１９に示すように、ロック部４９が設けられた第１カバー分割体２９には、各ロック片５０の先端隅部５３に隣接して配されるとともに、ロック片５０よりもその厚み方向について外側へ突出するロック片保護部５４が設けられているから、ロック片５０の先端隅部５３に対して電線Ｗなどの部材や異物が干渉して引っ掛かるのを防止することができる。特に、コルゲートチューブ１５は外部から頻繁に引っ張られるなどするといった事情に鑑み、このコルゲートチューブ１５を保持するチューブ保持部２８に対応したロック片５０の先端隅部５３をロック片保護部５４によって保護しているので、コルゲートチューブ１５に外力が作用したときでも、有効にロック片５０の誤解除を防止することができる。もって、両カバー分割体２９，３０が不用意に外れるのを防止することができる。
【００６０】
また、ロック片保護部５４は、少なくともロック片５０の先端隅部５３に対して斜向かいの位置に存在しているから、ロック片５０の先端隅部５３への電線Ｗなどの干渉を効果的に防ぐことができる。
【００６１】
また、ロック片保護部５４は、ロック片５０の先端隅部５３を囲むＬ字型に形成されているから、ロック片５０の先端隅部５３に対する電線Ｗなどの干渉を確実に防ぐことができ、極めて高い外れ防止効果を得ることができる。
【００６２】
また、ロック片保護部５４は、ロック片５０の両先端隅部５３に対応して一対、ロック片５０を解除するための解除用空間５５を空けて互いに離間した位置に配置されているから、メンテナンスなどの事情によってコネクタカバー１４を取り外す場合には、両ロック片保護部５４間の解除用空間５５に対して解除用治具を挿入することで、ロック片５０の先端部を容易に解除操作することができる。また、ロック片５０の両先端隅部５３に対する電線Ｗなどの干渉を防ぐことができる。
【００６３】
また、第１カバー分割体２９には、第１重なり壁４５が設けられるとともに、第２カバー分割体３０には、組み付け状態で第１重なり壁４５の外側に重ね合わせられる第２重なり壁４６が設けられており、ロック片５０がこの第２重なり壁４６から組付方向に沿って延出して形成されているから、組み付け時には両重なり壁４５，４６によって両カバー分割体２９，３０同士が組付方向と交差する方向について位置合わせされるから、組み付け作業性が向上する。また、ロック片５０が第２重なり壁４６から組付方向に延出しているので、ロック片５０のばね性を十分に確保することができる。
【００６４】
また、第１カバー分割体２９には、第２カバー分割体３０側の第２重なり壁４６の先端部４６ａに隣接した位置で対向する重なり壁保護部５６が設けられているから、外側に配される第２重なり壁４６に対して電線Ｗなどが引っ掛かるなど干渉するのを防ぐことができ、もって両カバー分割体２９，３０に外れ方向の力が作用するのを防ぐことができる。しかも、重なり壁保護部５６は、第２重なり壁４６よりもその厚み方向について外側に突出して形成されているから、第２重なり壁４６に対して電線Ｗなどが一層引っ掛かり難くなる。
【００６５】
さらには、重なり壁保護部５６には、ロック片保護部５４が連結され、重なり壁保護部５６及びロック片保護部５４が連続した壁となり、ロック片５０及び外側に配される第２重なり壁４６を一括して保護することができるから、これらへの電線Ｗなどの引っ掛かりを確実に防ぐことができる。その上、重なり壁保護部５６及びロック片保護部５４が同じ突出高さとされているから、外観に優れるとともに小型化に寄与することができる。
【００６６】
また、ロック部４９は、互いに離間した位置に一対設けられるとともに、対応するロック片５０に一括して係止されるようになっているから、係止状態において万が一に誤ってロック片５０におけるいずれか一方の先端隅部５３に係止解除方向への外力が作用した場合でも、互いに離間した位置に配された両ロック部４９のいずれかの係止状態が維持される可能性が高く、もって不用意なロック解除の防止に有効となる。
【００６７】
また、ロック片５０には、隣接するロック部４９間に進入可能な補強部５２が設けられているから、ロック片５０の強度を高めることができ、ロック片５０のばね性が高まるとともにその破損防止を図ることができる。
【００６８】
また、ロック片５０及びロック部４９は、両カバー分割体２９，３０の分割端部において複数箇所に分散して設置されるとともに、各ロック片５０に対応してロック片保護部５４が設けられているから、両カバー分割体２９，３０を一層外れ難くすることができる。
【００６９】
また、ロック片保護部５４とロック片５０との間の隙間は、電線Ｗの外径寸法以下の大きさに設定されているから、ロック片保護部５４とロック片５０との間の隙間に電線Ｗが入り込むのを確実に防ぐことができる。
【００７０】
＜実施形態２＞
本発明の実施形態２を図２４ないし図２７によって説明する。この実施形態２では、外れ防止機能を強化したものを示す。なおこの実施形態２では、上記した実施形態１と同様の構造、作用及び効果について重複する説明は省略する。
【００７１】
第２カバー分割体３０′における第２重なり壁４６′の先端部４６ａ′には、図２４及び図２５に示すように、テーパ面５７が形成されている。このテーパ面５７は、第２重なり壁４６′の先端面全体を斜め外側に向くように傾かせた面となっている。そして、重なり壁保護部５６′における第２重なり壁４６′との対向面（下面）には、第２重なり壁４６′側のテーパ面５７に沿った逆テーパ面５８が形成されている。逆テーパ面５８は、重なり壁保護部５６′の第２重なり壁４６′との対向面の全域をオーバーハング状に形成することで、その対向面全体を斜め内側（ロック解除方向とは反対側）に向けて傾かせた面となっている。この逆テーパ面５８は、第２重なり壁４６′側のテーパ面５７とほぼ平行をなす角度に形成されている。従って、重なり壁保護部５６′は、突出端側に行くに連れて幅寸法が次第に大きくなるとともに、第２重なり壁４６′側に張り出すような形状となっている。
【００７２】
組み付け状態において、図２６に示すように、両カバー分割体２９′，３０′の分割端面同士が当接し合い、ロック片５０′のロック溝５１′の溝縁上部とロック部４９′の上端面との間にクリアランスが空けられた状態では、逆テーパ面５８の内側に第２重なり壁４６′の先端部４６ａ′が入り込んで、テーパ面５７の先端部と逆テーパ面５８の先端部とが上下方向について重なる配置とされる。これにより、上記組み付け状態において、ロック片５０′または第２重なり壁４６′を外側へ（ロック解除方向へ）開くような力が作用したときでも、テーパ面５７が逆テーパ面５８に干渉し、内向きに案内されることで、外側への開き変形が抑制される。もって、ロック片５０′のロック状態が不用意に解除されるのを防ぐことができる。
【００７３】
一方、組み付け状態において、図２７に示すように、両カバー分割体２９′，３０′の分割端面間にクリアランスが空けられ、ロック片５０′のロック溝５１′の溝縁上部とロック部４９′の上端面とが当接し合った状態では、テーパ面５７の先端部と、逆テーパ面５８の先端部とが上下に離間した配置とされる。これにより、上記組み付け状態では、メンテナンスなどの事情によりロック状態を解除する場合、ロック片５０′を外側へ開くよう変形させる解除操作が可能となっている。
【００７４】
以上説明したように本実施形態によれば、重なり壁保護部５６′には、第２カバー分割体３０′側の第２重なり壁４６′の先端部４６ａ′を外側から覆う逆テーパ面５８が形成されているから、ロック片５０′と連結された第２重なり壁４６′が外側へ開き変形するのが規制され、もってロック片５０′の誤解除をより確実に防止することができる。
【００７５】
また、逆テーパ面５８が重なり壁保護部５６′の全域に形成され、各ロック片５０′の両側位置（図２４及び図２５を参照）に一対配置されているから、ロック片５０′の誤解除をさらに確実に防止することができる。
【００７６】
＜他の実施形態＞
本発明は上記記述及び図面によって説明した実施形態に限定されるものではなく、例えば次のような実施形態も本発明の技術的範囲に含まれる。
【００７７】
（１）上記した各実施形態では、ロック片保護部がＬ字型に形成された場合を示したが、例えばロック片の先端面に沿った真っ直ぐな形状であったり、ロック片の側端面に沿った真っ直ぐな形状であってもよい。その場合、ロック片の先端面に沿ったロック片保護部がロック片の側端面よりも外側に突出する形態としたり、ロック片の側端面に沿ったロック片保護部がロック片の先端面よりも外側に突出する形態とすることで、ロック片保護部をロック片の先端隅部と斜向かいの位置に存在させることができる。
【００７８】
（２）上記（１）以外にも、１本のロック片に対応した左右１組のロック片保護部同士を連結し、解除用空間を省略してもよい。
【００７９】
（３）上記した各実施形態では、重なり壁保護部が第２重なり壁の先端部のほぼ全域を覆うよう形成された場合を示したが、第２重なり壁を部分的に覆うように設置してもよい。また、重なり壁保護部をロック片保護部とは分離してもよい。また、重なり壁保護部の高さ寸法をロック片保護部とは異ならせてもよい。また、重なり壁保護部を省略したものも本発明に含まれる。
【００８０】
（４）上記した各実施形態では、両カバー分割体にそれぞれ重なり壁を設けた場合を示したが、重なり壁を省略したものも本発明に含まれる。
【００８１】
（５）上記した実施形態２では、逆テーパ面が重なり壁保護部の全域に形成された場合を示したが、逆テーパ面が重なり壁保護部の一部に形成されたものも本発明に含まれる。その場合、逆テーパ面をロック片の両側方に一対配置してもよく、また片側にのみ配置してもよい。また、第２重なり壁側のテーパ面を一部または全てについて省略してもよい。
【００８２】
（６）上記した実施形態では、幅広なロック片と幅狭なロック片とを設け、幅広のロック片には２つのロック部が係止されるものを例示したが、幅広のロック片に対応して１つの幅広のロック部が係止する構造としてもよい。また、幅狭なロック片のみを設けたコネクタカバーや、２つのロック部が係止される幅広のロック片のみを設けたコネクタカバーも本発明に含まれる。また、幅広のロック片において３つ以上のロック部が係止されるようにしてもよい。また、幅広のロック片から補強部を省略したものも本発明に含まれる。
【００８３】
（７）ロック片の設置位置や数などについては、必要の応じて任意に変更可能である。
【００８４】
（８）上記した各実施形態では、コネクタカバーを上下方向に沿った中央位置で水平方向に沿って分割した、横割り構造のものを示したが、例えば水平方向に沿った中央位置で上下方向に沿って分割した、縦割り構造のものも本発明に含まれる。また、分割位置については半割となる位置以外にも適宜に変更可能である。
【００８５】
（９）上記した各実施形態では、両カバー分割体同士が分離された場合を示したが、両カバー分割体同士がヒンジによって部分的に連結されて一部品化されたものも本発明に含まれる。
【００８６】
（１０）上記した各実施形態では、第１カバー分割体側にロック部を、第２カバー分割体側にロック片をそれぞれ設置した場合を示したが、逆の配置としてもよい。また、ロック部とロック片とを両カバー分割体にそれぞれ設置してもよく、その場合両カバー分割体を同一形状とすれば、部品の共通化を図ることも可能となる。
【００８７】
（１１）カバー本体からのチューブ保持部の導出角度（電線の引き出し角度）については適宜に変更可能であり、例えば真横や真後ろに向けて導出させたり、真上または真下に向けて導出させるようにしてもよい。
【００８８】
（１２）上記した各実施形態では、スライドレバーを備えたレバー式コネクタを例示したが、レバーを備えないコネクタにも本発明は適用可能である。
【００８９】
（１３）コネクタに接続するコルゲートチューブは、合成樹脂製以外にも金属製であってもよい。
【図面の簡単な説明】
【００９０】
【図１】本発明の実施形態１に係るコネクタの平面図
【図２】ハウジングの側断面図
【図３】ハウジングの斜視図
【図４】ハウジングの背面図
【図５】コネクタカバーの分解斜視図
【図６】第１カバー分割体の平面図
【図７】第１カバー分割体の底面図
【図８】第２カバー分割体の平面図
【図９】第２カバー分割体の底面図
【図１０】組み付け前の両カバー分割体の正面図
【図１１】組み付け前の両カバー分割体の背面図
【図１２】組み付け前の両カバー分割体の左側面図
【図１３】組み付け前の両カバー分割体の右側面図
【図１４】組み付け前の両カバー分割体におけるチューブ保持部の横断面図
【図１５】組み付け状態の両カバー分割体の正面図
【図１６】組み付け状態の両カバー分割体の背面図
【図１７】組み付け状態の両カバー分割体の左側面図
【図１８】組み付け状態の両カバー分割体の右側面図
【図１９】組み付け状態の両カバー分割体におけるチューブ保持部の横断面図
【図２０】ハウジングに両カバー分割体を取り付ける前の状態を示す側断面図
【図２１】ハウジングに両カバー分割体を取り付ける途中の状態を示す側断面図
【図２２】ハウジングに両カバー分割体を取り付けた状態を示す側断面図
【図２３】チューブ保持部におけるコルゲートチューブの保持構造を示す断面図
【図２４】本発明の実施形態２に係るコネクタカバーの分解背面図
【図２５】コネクタカバーの分解断面図
【図２６】両カバー分割体の分割端面同士が当接した状態を示す背面図
【図２７】ロック片にロック部が当接した状態を示す背面図
【符号の説明】
【００９１】
１２…ハウジング（コネクタハウジング）
１４…コネクタカバー
１５…コルゲートチューブ（電線保護筒体）
２８…チューブ保持部（筒体保持部）
２９…第１カバー分割体（一方のカバー分割体）
３０…第２カバー分割体（他方のカバー分割体）
４５…第１重なり壁（一方のカバー分割体側の重なり壁）
４６…第２重なり壁（他方のカバー分割体側の重なり壁）
４６ａ…先端部
４９…ロック部
５０…ロック片
５２…補強部
５３…先端隅部
５４…ロック片保護部
５５…解除用空間
５６…重なり壁保護部
５８…逆テーパ面
Ｗ…電線
【図１】
2008282631.tif 000003
【図２】
2008282631.tif 000004
【図３】
2008282631.tif 000005
【図４】
2008282631.tif 000006
【図５】
2008282631.tif 000007
【図６】
2008282631.tif 000008
【図７】
2008282631.tif 000009
【図８】
2008282631.tif 000010
【図９】
2008282631.tif 000011
【図１０】
2008282631.tif 000012
【図１１】
2008282631.tif 000013
【図１２】
2008282631.tif 000014
【図１３】
2008282631.tif 000015
【図１４】
2008282631.tif 000016
【図１５】
2008282631.tif 000017
【図１６】
2008282631.tif 000018
【図１７】
2008282631.tif 000019
【図１８】
2008282631.tif 000020
【図１９】
2008282631.tif 000021
【図２０】
2008282631.tif 000022
【図２１】
2008282631.tif 000023
【図２２】
2008282631.tif 000024
【図２３】
2008282631.tif 000025
【図２４】
2008282631.tif 000026
【図２５】
2008282631.tif 000027
【図２６】
2008282631.tif 000028
【図２７】
2008282631.tif 000029